(57)【要約】  本発明は、前面パネル２と、後面パネル３と、四つの側面パネル４とを備えており、前面パネルが、前面パネルの開放可能部分２ａ及び前面パネルの開放不能部分２ｂを画成するプレカット５を備えている、食品用単層厚紙のパッケージ１において、（ｉ）前面パネルの開放不能部分がロック用スロット６を更に備えており、（ｉｉ）ロック用要素７が、前面パネルの長さを延ばすことができるように前面パネルの開放可能部分２ａに固定されており、ロック用要素７がロック用スロット６に挿入される舌部８を備えていて、閉鎖状態において、開放可能部分２ａをロックすることを特徴とする、パッケージに関する。【選択図】  図５
2008544931.tif 000002
【特許請求の範囲】
【請求項１】
前面パネル（２）と、後面パネル（３）と、四つの側面パネル（４）とを備えており、前記前面パネルが、前記前面パネルの開放可能部分（２ａ）及び前記前面パネルの開放不能部分（２ｂ）を画成するプレカット部（５）を備えている、食品用単層厚紙のパッケージ（１）において、
（ｉ）前記前面パネルの前記開放不能部分（２ｂ）がロック用スロット（６）を更に備えており、
（ｉｉ）ロック用要素（７）が、前記前面パネルの長さを延ばすことができるように前記前面パネルの前記開放可能部分（２ａ）に固定されており、前記ロック用要素（７）が前記ロック用スロット（６）に挿入される舌部（８）を備えていて、閉鎖状態において前記開放可能部分（２ａ）をロックすることを特徴とする、パッケージ。
【請求項２】
前記ロック用要素（７）は、前記前面パネル（２）の前記開放可能部分（２ａ）にのり付けされた平らな厚紙パネルである、請求項１に記載のパッケージ。
【請求項３】
前記前面パネルの前記開放可能部分（２ａ）が、前記開放可能部分（２ａ）とそれに隣接する前記側面パネル（４）との間に位置するエッジ（９）を中心に回転可能であり、前記エッジ（９）が、ヒンジとして働く、請求項１又は２に記載のパッケージ。
【請求項４】
前記ロック用要素（７）が、前記パッケージ（１）の前記側面パネル（４）をなす延長部分を備える、請求項１〜３のいずれか一項に記載のパッケージ。
【請求項５】
前記ロック用要素（７）が、前記前面パネル（２）の幅Ｗに等しい幅ｗを有する、請求項１〜４のいずれか一項に記載のパッケージ。
【請求項６】
前記食品がチョコレートタブレットである、請求項１〜５のいずれか一項に記載のパッケージ。
【発明の詳細な説明】
【技術分野】
【０００１】
本発明はパッケージに関し、特に、例えば、チョコレートタブレット等のように矩形ブロック形状を有する食品用のパッケージに関する。
【背景技術】
【０００２】
以下の説明において、用語「ラップアラウンド（wrap-around）」パックが用いられるが、これは、「被覆（envelope）」パックと同じものとして考えるべきものである。
【０００３】
ホイルで包まれたタブレットをカートンボードパックの中に包装するために用いられる、いわゆる「ラップアラウンド」標準装置は、例えば、普通の医薬の厚紙パックのように、完全に再封することができなく、小さい側面において開かれるパックを生成する。
【０００４】
この標準装置を用いて作られたタブレットパックにおいては、タブレットの周りでホイルが折り曲げられ、その後、このタブレットの周りで厚紙が折り曲げられる。用いられる厚紙は、ミシン目及び折り目を有するシングルシート（single sheets）である。消費者が、打抜きミシン目を破ってから、パックの付加的なフラップを開けると、再封を可能とする重複部分がなくなる。
【発明の開示】
【発明が解決しようとする課題】
【０００５】
カートンボードパックは、完全な再封を可能とする、より複雑な多層構造を持っている。しかしながら、このより複雑なパックは、ラッピングされたタブレットを中に入れる前に形成され、組み立てられる。これは二つの独立した操作を必要とする。その一つは、中のパックをラッピングするために、ラッピング機械が用いられる。もう一つは、ラッピングされたタブレットを有するカートン箱を組み立てて、詰めるために、カートニング機械が用いられる。したがって、理解できるであろうが、複雑なパックに包装されるこのようなタブレットは、ホイルで包むこととカートンボードで包装することを混合した、従来のラップアラウンド包装ライン下では製造できない。
【０００６】
したがって、上記のように、ホイルで包んでから厚紙でラッピングする標準装置を用いて生成され得るタブレット厚紙パッケージが必要とされている。このパッケージは最初に開けられた後、再封できるものである。
【課題を解決するための手段】
【０００７】
本発明では、前面パネルと、後面パネルと、四つの側面パネルとを備えており、前面パネルは、前面パネルの開放可能部分及び前面パネルの開放不能部分を画成するプレカット部を備えている、食品用単層厚紙のパッケージにおいて、（ｉ）前面パネルの開放不能部分がロック用スロットを更に備えており、（ｉｉ）ロック用要素が、前面パネルの長さを延ばすことができるように前面パネルの開放可能部分に固定されており、ロック用要素がロック用スロットに挿入される舌部を備えていて、閉鎖状態において開放可能部分をロックすることを特徴とするパッケージをもって、上記問題を解決する。
【０００８】
本発明のより好ましい実施形態において、ロック用要素は、前面パネルの開放可能部分にのり付けられた平らな厚紙パネルである。
【０００９】
前面パネルの開放可能部分が、開放可能部分とそれに隣接する側面パネルとの間に位置するエッジを中心に回転可能であり、そのエッジがヒンジとして働くことが好ましい。
【００１０】
さらに、ロック用要素がパッケージの側面パネルをなす延長部分を備える。
【００１１】
ロック用要素が、前面パネルの幅Ｗに等しい幅ｗを有することが望ましい。
【００１２】
本発明の好ましい実施形態において、食品がチョコレートタブレットである。
【００１３】
本発明のさらなる特徴及び利点は、図面の参照と共に以下に提供された「発明を実施するための最良の形態」の欄に記載され、明らかになる。
【発明を実施するための最良の形態】
【００１４】
図１に示したように、本発明によるパッケージ１は、チョコレートタブレット製品用の単層厚紙パッケージである（タブレットは図面に描かれていない）。
【００１５】
これは、平らな厚紙から作られ、従来型カートン形成機械で組み立てられ且つ成形される。図１に示したような平らなカートンボードは、前面パネル２、後面パネル３、四つの側面パネル４を備える。
【００１６】
前面パネル２は、前面パネルの開放可能部分２ａ及び前面パネル２の開放不能部分２ｂを画成するプレカット部（切込み部）５（点線で図面に示される）を備える。
【００１７】
さらに本発明によると、前面パネルの開放不能部分２ｂはロック用スロット６を更に備えており、ロック用要素７が設けられている。図２に示したように、そのロック用要素７は、前面パネルの長さを延ばすことができるように前面パネル２の開放可能部分２ａにのり付けされている。
【００１８】
図１及び図２に示したように、ロック用要素７は、前面パネルの開放可能部分２ａに隣接した側面パネル４をなす延長部分を備えている。
【００１９】
図３及び図４に示したように、パッケージ１が閉鎖状態にあるとき、前面パネルの開放可能部分２ａがロックされることができるように、ロック用要素７は、前面パネル２のロック用スロット６に挿入される舌部８を備える。
【００２０】
図２から分かるように、ロック用要素７は、パッケージの前面パネル２の幅Ｗと同じ幅ｗを有する。
【００２１】
図１及び図２に示したように、ロック用要素７は、前面パネルの開放可能部分２ａにのり付けされた平らな厚紙パネルである。
【００２２】
図５から分かるように、前面パネルの開放可能部分２ａは、開放可能部分とそれに隣接する側面パネル４との間に位置するエッジ９を中心に回転可能であり、このとき、エッジ９はヒンジとして働く。
【００２３】
結果的に、パッケージを初めて開けるとき、パッケージ１を開けることができるように、消費者は、互いに接着されている前面パネルのロック用要素７及び開放可能部分２ｂを引き上げる。開放可能部分２ａが、プレカット部５に沿ってフロントパネル２の残部から離され、その後、開放状態にあるパッケージは、図５に示す形態となる。
【００２４】
パッケージ１を再び閉めるために、消費者は、エッジ９を中心にロック用要素７を回転させ、前面パネルの開放不能部分２ｂを覆い、その後、図４に示したように、ロック用要素７の舌部８を前面パネルの開放不能部分２ｂのロック用スロット６の中に入れる。
【００２５】
チョコレートタブレットを本発明によるパッケージの中に詰めるための方法を次に記載する。主なステップは以下のとおりである。
（１）チョコレートタブレット製造工程からの裸のタブレットは、コンベヤベルトによって包装機械の中に供給されて、第１工程に入る。この工程において、リールからのアルミホイルが、シート状に切断されて、それぞれのタブレットの周りに施される。
（２）ホイルをタブレットの周りにラッピングした後、ホイルは三辺において密封される（第四辺は折り返すだけ）。
（３）ホイルでラッピングされたタブレットは次の段階（カートンボードで２回目の包装をする）に入る。
（４）カートンボードは、「マガジン」に供給される予め切断されたシートとして提供される。
（５）カートンボードシートのそれぞれは、マガジンからグリッパーによって引出され、最後的に閉鎖されるために、ホットメルトスポットが施される。
（６）カートンボードシートは、折曲げ装置（当業界に知られている）によって、ホイルで包まれたタブレットの周りにラッピングされ、その後、タブレットのそれぞれにのり付けされる。
（７）タブレットの２回目包装（即ち、カートンボード）は、出口プレートを通って、接着プロセスを終わらせることによって完成される。
（８）タブレットは機械出口（側部ブラシ）に送り出される。
【００２６】
本発明による２枚のカートンボード（上記のような）を用いることによって、マガジンから最終包装まで、包装機械のいかなる変更も必要としないことに注意することが重要である。
【００２７】
ここに記載されている現在の望ましい実施形態への様々な変更及び修正が当業界において明らかであることが分かるであろう。このような変更及び修正は本発明の精神及び範囲から逸脱することなく、また、本発明の添付の利点を損なうことなく、なされることができる。したがって、このような変更及び修正は添付の特許請求の範囲に含まれることが意図される。
【図面の簡単な説明】
【００２８】
【図１】本発明のパッケージを構成する二つの平らなカートン要素を示す平面概略図である。
【図２】一緒に接着されている平らなカートン要素を示している、図１と同じ平面概略図である。
【図３】形成された構造及び閉鎖状態にある、本発明のパッケージの平面概略斜視図である。
【図４】閉鎖状態にある、本発明によるパッケージ上部の拡大された平面概略斜視図である。
【図５】パッケージが開放状態にある、図４と同じ拡大された平面概略斜視図である。
【図１】
2008544931.tif 000003
【図２】
2008544931.tif 000004
【図３】
2008544931.tif 000005
【図４】
2008544931.tif 000006
【図５】
2008544931.tif 000007
【国際調査報告】
2008544931.tif 000008
2008544931.tif 000009
2008544931.tif 000010